(57)【要約】【課題】出力画像信号をデジタルの状態でフラットパネルディスプレイに供給する際に、重畳前のＤ／Ａ変換および重畳後のＡ／Ｄ変換を不要とし、画像品質の劣化を防止し、画質の向上を図るようにした画像信号処理装置等を提供する。【解決手段】画像表示装置１００には、ＯＳＤ画像信号のドットクロックを変換するＯＳＤインタフェース処理部２０が設けられる。ＯＳＤ画像信号Ｓ６及びＯＳＤ制御信号Ｓ７はＯＳＤインタフェース処理部２０でドットクロック変換と補間処理が施された後、ＯＳＤ重畳回路８に供給され、ＯＳＤ重畳回路８で、ＯＳＤ画像信号Ｓ８を主信号としての画像信号Ｓ５に重畳して、画像信号Ｓ１０として出力する。これにより、出力画像信号をデジタルの状態でフラットパネルディスプレイに供給する際に、重畳前のＤ／Ａ変換および重畳後のＡ／Ｄ変換の信号処理を不要とし、主信号としての画像信号の品質劣化を防ぐことができる。【選択図】　　　　図１
2004101924.tif 000002
【特許請求の範囲】
【請求項１】
第１のドットクロックに同期した第１の画像信号が入力される第１の信号入力手段と、
上記第１のドットクロックと異なる周波数の第２のドットクロックに同期した第２の画像信号が入力される第２の信号入力手段と、
上記第２の信号入力手段に入力された第２の画像信号を、上記第２のドットクロックに同期した状態から上記第１のドットクロックに同期した状態に変換するクロック乗り換え手段と、
上記第１の信号入力手段に入力された第１の画像信号に、上記クロック乗り換え手段より出力された第２の画像信号を重畳して出力画像信号を得る信号重畳手段と
を備えることを特徴とする画像信号処理装置。
【請求項２】
上記クロック乗り換え手段は、
上記第２の画像信号を一時的に記憶する記憶手段と、
上記第２の画像信号を、上記第２のドットクロックに同期して上記記憶手段に書き込む書込み制御手段と、
上記記憶手段に書き込まれた上記第２の画像信号を、上記第１のドットクロックに同期して読み出す読み出し制御手段と
を有することを特徴とする請求項１に記載の画像信号処理装置。
【請求項３】
上記クロック乗り換え手段は、
上記読み出し制御手段により上記記憶手段から読み出された上記第２の画像信号の画素データに基づいて、該第２の画像信号の画素が上記第１の画像信号の画素に対応するように補間処理をして出力画素データを得る補間処理手段をさらに有する
ことを特徴とする請求項２に記載の画像信号処理装置。
【請求項４】
上記第２のドットクロックに同期した、上記第２の画像信号を上記第１の画像信号に重畳するための制御信号が入力される第３の信号入力手段をさらに備え、
上記クロック乗り換え手段は、
上記第２の信号入力手段に入力された第２の画像信号および上記第３の信号入力手段に入力された制御信号を、上記第２のドットクロックに同期した状態から上記第１のドットクロックに同期した状態に変換し、
上記信号重畳手段は、上記第１の信号入力手段に入力された第１の画像信号に、上記クロック乗り換え手段より出力された制御信号に基づいて、上記クロック乗り換え手段より出力された第２の画像信号を重畳する
ことを特徴とする請求項１に記載の画像信号処理装置。
【請求項５】
上記制御信号は、
上記第１の画像信号と上記第２の画像信号との切り替えを制御する第１の制御信号と、
上記第１の画像信号のレベルを所定レベルに下げるための第２の制御信号とからなる
ことを特徴とする請求項４に記載の画像信号処理装置。
【請求項６】
上記制御信号は、
上記第１の画像信号と上記第２の画像信号との混合比を制御する制御信号である
ことを特徴とする請求項４に記載の画像信号処理装置。
【請求項７】
第１のドットクロックに同期した第１の画像信号を取得する第１のステップと、
上記第１のドットクロックと異なる周波数の第２のドットクロックに同期した第２の画像信号を取得する第２のステップと、
上記第２のステップで取得された第２の画像信号を、上記第２のドットクロックに同期した状態から上記第１のドットクロックに同期した状態に変換する第３のステップと
上記第１のステップで取得された第１の画像信号に、上記第３のステップで変換されて得られた第２の画像信号を重畳して出力画像信号を得る第４のステップと
を備えることを特徴とする画像信号処理方法。
【請求項８】
上記第３のステップでは、
上記第２の画像信号の画素が上記第１の画像信号の画素に対応するように補間処理をして出力画素データを得る
ことを特徴とする請求項７に記載の画像信号処理方法。
【請求項９】
第１のドットクロックに同期した第１の画像信号に、上記第１のドットクロックと異なる周波数の第２のドットクロックに同期した第２の画像信号を重畳するために、該第２の画像信号を上記第２のドットクロックに同期した状態から上記第１のドットクロックに同期した状態に変換する画像信号処理装置であって、
上記第２の画像信号を一時的に記憶する記憶手段と、
上記第２の画像信号を、上記第２のドットクロックに同期して上記記憶手段に書き込む書き込み制御手段と、
上記記憶手段に書き込まれた上記第２の画像信号を、上記第１のドットクロックに同期して読み出す読み出し制御手段と、
上記読み出し制御手段により上記記憶手段から読み出された上記第２の画像信号の画素データに基づいて、該第２の画像信号の画素が上記第１の画像信号の画素に対応するように補間処理をして出力画素データを得る補間処理手段と
を備えることを特徴とする画像信号処理装置。
【請求項１０】
第１のドットクロックに同期した第１の画像信号に、上記第１のドットクロックと異なる周波数の第２のドットクロックに同期した第２の画像信号を重畳するために、該第２の画像信号を上記第２のドットクロックに同期した状態から上記第１のドットクロックに同期した状態に変換する画像信号処理装置であって、
上記第２の画像信号を一時的に記憶する記憶手段と、
上記第２の画像信号を、上記第２のドットクロックに同期して上記記憶手段に書き込む書き込み制御手段と、
上記記憶手段に書き込まれた上記第２の画像信号を、上記第１のドットクロックに同期して読み出す読み出し制御手段と、
上記第２の画像信号を上記記憶手段に書き込む時の書き込みの開始位置および終了位置を設定するための信号が入力される第１の設定信号入力手段と、
上記記憶手段に書き込まれた上記第２の画像信号を読み出す時の読出しの開始位置および終了位置を設定するための信号が入力される第２の設定信号入力手段と
を備えることを特徴とする画像信号処理装置。
【発明の詳細な説明】
【０００１】
【発明の属する技術分野】
この発明は、画像信号処理装置および画像信号処理方法に関する。詳しくは、第１のドットクロックに同期した第１の画像信号に、該第１のドットクロックと異なる周波数の第２のドットクロックに同期した第２の画像信号を第２のドットクロックに同期した状態から第１のドットクロックに同期した状態に変換した上で重畳して出力画像信号を得ることによって、例えば出力画像信号をデジタルの状態でフラットパネルディスプレイに供給する際に、重畳前のＤ／Ａ変換および重畳後のＡ／Ｄ変換を不要とし、画像品質の劣化を防止し、画質の向上を図るようにした画像信号処理装置および画像信号処理方法に係るものである。
【０００２】
【従来の技術】
近年の画像表示装置においては、より多くの情報を表示させるために表示画面の大型化と共に表示画面の高精細化が進んでいる。そのため画像信号のドットクロックが速くなりつつある。一方、これらの画像表示装置において、例えば、ディスプレイならコントラストやブライトの設定、テレビ受信機なら音量やチャネル等の表示をするために、ＯＳＤ（Ｏｎ　Ｓｃｒｅｅｎ　Ｄｉｓｐｌａｙ）機能が設けられる。
【０００３】
ＯＳＤ機能を有する画像表示装置は文字やグラフィックを発生させるＯＳＤ発生用ＩＣおよびＯＳＤ重畳用ＩＣを利用し、主信号の画像信号に予め定めたオンスクリーンディスプレイ（ＯＳＤ）信号を挿入して一つの表示画面上に表示するようになされている。
【０００４】
このようなＯＳＤ機能を有するテレビ受信機などの画像表示装置は、一般に図１１に示すような構成を有している。図１１は、ＯＳＤ機能を有する画像表示装置１５の要部のブロック図を示している。
【０００５】
この画像表示装置１５は、ビデオデコード部１と、Ａ／Ｄ変換回路２と、フォーマット変換部３と、Ｄ／Ａ変換回路４と、Ｙ色差処理部５’と、ＯＳＤ発生器６と、Ｄ／Ａ変換回路７と、ＯＳＤ重畳回路８’と、ＲＧＢ処理部９’と、Ａ／Ｄ変換回路１０と、パネルドライバー１１と、ＦＰＤ（Ｆｌａｔ　Ｐａｎｅｌ　Ｄｉｓｐｌａｙ）１２とから構成されている。
【０００６】
ビデオデコード部１は、コンポジットビデオ（ＣＶＢＳ）信号Ｓ１に対して、同期分離、Ｙ／Ｃ分離、色復調などの処理を行う回路である。同期分離処理では、コンポジットビデオ信号から同期信号を分離する。またＹＣ分離処理では、コンポジットビデオ信号から、輝度信号Ｙと色信号Ｃを分離する。また色復調処理では、例えば同期検波方式と呼ばれる復調方法が用いられ、色信号Ｃを復調して、ＰＢ，ＰＲ信号を得る。ビデオデコード部１から出力される画像信号（Ｙ／ＰＢ／ＰＲ）Ｓ２はＡ／Ｄ変換回路２に供給される。
【０００７】
Ａ／Ｄ変換回路２は、デコード処理されたアナログ画像信号Ｓ２をデジタル信号に変換する回路である。Ａ／Ｄ変換回路２から出力される画像信号（Ｙ／ＣＢ／ＣＲ）Ｓ３は、例えば４８０Ｉの画像フォーマットを有している。この画像信号Ｓ３はフォーマット変換部３に入力される。ここで、４８０Ｉは、有効走査線４８０本、インタレース方式によるＳＤ（Ｓｔａｎｄａｒｄ　Ｄｅｆｉｎｉｔｉｏｎｓ：標準解像度）画像信号である。
【０００８】
フォーマット変換部３は、表示画面の解像度に合わせてＡ／Ｄ変換回路２から出力される画像信号Ｓ３のフォーマット変換を行うものである。例えば表示画面の解像度が１３６６×７６８のＷｉｄｅＸＧＡである場合（ＸＧＡは水平１０２４ドット、垂直７６８ラインである）、フォーマット変換部３では、フォーマットが４８０Ｉであるデジタル画像信号を１３６６×７６８のＷｉｄｅＸＧＡフォーマットに変換して出力する。フォーマット変換部３から出力される画像信号Ｓ４はＤ／Ａ変換回路４へ出力される。
【０００９】
Ｄ／Ａ変換回路４は、フォーマット変換部３でフォーマットを変換したデジタル信号Ｓ４をアナログ信号（Ｙ／ＰＢ／ＰＲ）Ｓ４ａに変換し、Ｙ色差処理部５に入力する。
【００１０】
Ｙ色差処理部５’は、Ｄ／Ａ変換回路４でアナログ信号に変換された画像信号Ｓ４ａに対してシャープネス（Ｓｈａｒｐｎｅｓｓ）調整、カラー調整などのＹ色差処理を行う回路である。またＹ色差処理部５’で輝度信号と色差信号を三原色信号に変換するマトリクス処理も行う。Ｙ色差処理部５’から出力される画像信号（ＥＲ／ＥＧ／ＥＢ）Ｓ５ａはＯＳＤ重畳回路８’に供給される。
【００１１】
ＯＳＤ発生器６は、ＯＳＤ画像信号及びＯＳＤ制御信号を発生するものであり、例えばＯＳＤ機能内蔵のＴＶ用システムマイコン内に含まれる。このＯＳＤ発生器６の動作周波数は２４．７５ＭＨｚである。このＯＳＤ発生器６からＯＳＤ画像信号（ＤＲ／ＤＧ／ＤＢ）Ｓ６とＯＳＤ制御信号（ＹＳ／ＹＭ）Ｓ７が出力され、ＯＳＤ画像信号Ｓ６はＤ／Ａ変換回路７に入力される。またＯＳＤ制御信号Ｓ７はＯＳＤ重畳回路８’に入力される。
【００１２】
Ｄ／Ａ変換回路７は、ＯＳＤ発生器６で発生したＯＳＤ画像信号Ｓ６をアナログ信号Ｓ６ａに変換する回路である。
【００１３】
ＯＳＤ重畳回路８’は、Ｙ色差処理部５’で処理された画像信号Ｓ５ａにＤ／Ａ変換回路７でアナログ信号に変換されたＯＳＤ画像信号Ｓ６ａを重畳する。ＯＳＤ画像信号Ｓ６ａの重畳はＯＳＤ制御信号Ｓ７により制御される。ＯＳＤ重畳回路８’より出力される画像信号Ｓ１０ａはＲＧＢ処理部９’へ出力される。
【００１４】
ＲＧＢ処理部９’は、ＯＳＤ重畳回路８’から供給される画像信号Ｓ１０ａに対してピクチャー調整（ＲＧＢのゲイン調整）、およびブライト調整（ＤＣレベル調整）などを行う回路である。画像信号Ｓ１０ａはＲＧＢ処理部９’でピクチャー調整およびブライト調整が行われた後、画像信号（ＥＲ／ＥＧ／ＥＢ）Ｓ１１ａとしてＡ／Ｄ変換回路１０へ出力される。
【００１５】
Ａ／Ｄ変換回路１０は、ＲＧＢ処理部９’で処理されたアナログ画像信号Ｓ１１ａを再度デジタル画像信号（ＤＲ／ＤＧ／ＤＢ）Ｓ１１ｄに変換する回路である。Ａ／Ｄ変換回路１０によりえられたデジタル画像信号Ｓ１１ｄはパネルドライバー１１に供給される。
【００１６】
パネルドライバー１１は、ＦＰＤ（Ｆｌａｔ　Ｐａｎｅｌ　Ｄｉｓｐｌａｙ）１２を駆動する回路である。ＦＰＤ１２は、例えばＬＣＤ表示パネルであり、このＦＰＤ１２の解像度は、例えば１３６６ドット×７６８ラインである。パネルドライバー１１は、Ａ／Ｄ変換回路１０から供給された画像信号Ｓ１１ｄに基づいてＦＰＤ１２の画面上にデジタル画像信号Ｓ１１ｄによる画像を表示する。
【００１７】
このような画像表示装置１５では、コンポジットビデオ（ＣＶＢＳ）信号Ｓ１に対しては、まず、ビデオデコード部１で同期分離、Ｙ／Ｃ分離、色復調などのビデオデコード処理を施した後、Ａ／Ｄ変換を行い、そしてフォーマット変換部３で４８０ＩからＷｉｄｅＸＧＡにフォーマット変換を行った後、Ｄ／Ａ変換を行い、次に、Ｙ色差処理部５’でマトリクス処理、シャープネス調整、カラー調整などのＹ色差処理を行う。そして、Ｙ色差処理された画像信号Ｓ５ａに、ＯＳＤ重畳回路８’でＯＳＤ発生器６からのＯＳＤ画像信号Ｓ６ａを重畳する。この場合、アナログに変換された画像信号Ｓ５ａとアナログに変換されたＯＳＤ画像信号Ｓ６ａとの重畳である。
【００１８】
そして、重畳後の画像信号Ｓ１０ａを、ＲＧＢ処理部９’でピクチャー調整、ブライト調整して、Ａ／Ｄ変換回路１０でデジタル画像信号Ｓ１１ｄに変換した後、パネルドライバー１１に入力し、ＦＰＤ１２の画面上に画像信号Ｓ１１ｄによる画像を表示する。
【００１９】
【発明が解決しようとする課題】
上述した従来の画像表示装置１５では、ＬＣＤ表示装置の解像度は１３６６ドット×７６８ラインであり、フォーマット変換部３でフォーマット変換された画像信号Ｓ４のドットクロック周波数が７４．２５ＭＨｚであるのに対して、ＯＳＤ発生器６からのＯＳＤ画像信号Ｓ６のドットクロック周波数が２４．７５ＭＨｚであるため、デジタル信号のままＯＳＤ重畳できなかった。そこで画像信号Ｓ４とＯＳＤ画像信号Ｓ６ともにアナログ信号にしてＯＳＤ重畳回路８’で重畳を行っていた。
【００２０】
このようにもともとデジタル信号処理を施していたものを一旦Ｄ／Ａ変換し、アナログ回路でＯＳＤ重畳処理した後、Ａ／Ｄ変換し再度デジタル信号に戻してＦＰＤ１２に供給しているので、Ｄ／Ａ変換、およびＡ／Ｄ変換による信号品質の劣化（Ｓ／Ｎの劣化など）が生じる問題がある。
【００２１】
そこで、この発明は、出力画像信号をデジタルの状態でフラットパネルディスプレイに供給する際に、重畳前のＤ／Ａ変換および重畳後のＡ／Ｄ変換を不要とし、画像品質の劣化を防止し、画質の向上を図るようにした画像信号処理装置および画像信号処理方法を提供することを目的とする。
【００２２】
【課題を解決するための手段】
この発明に係る画像信号処理装置は、第１のドットクロックに同期した第１の画像信号が入力される第１の信号入力手段と、第１のドットクロックと異なる周波数の第２のドットクロックに同期した第２の画像信号が入力される第２の信号入力手段と、第２の信号入力手段に入力された第２の画像信号を、第２のドットクロックに同期した状態から第１のドットクロックに同期した状態に変換するクロック乗り換え手段と、第１の信号入力手段に入力された第１の画像信号に、クロック乗り換え手段より出力された第２の画像信号を重畳して出力画像信号を得る信号重畳手段とを備えるものである。
【００２３】
例えば、クロック乗り換え手段は、第２の画像信号を一時的に記憶する記憶手段と、第２の画像信号を、第２のドットクロックに同期して記憶手段に書き込む書込み制御手段と、記憶手段に書き込まれた第２の画像信号を、第１のドットクロックに同期して読み出す読み出し制御手段とを有し、さらに読み出し制御手段により記憶手段から読み出された第２の画像信号の画素データに基づいて、該第２の画像信号の画素が第１の画像信号の画素に対応するように補間処理をして出力画素データを得る補間処理手段を有する。
【００２４】
この発明に係る画像信号処理装置おいては、第１のドットクロックと異なる周波数の第２のドットクロックに同期した第２の画像信号を第２のドットクロックに同期した状態から第１のドットクロックに同期した状態に変換した後、第１の画像信号に重畳して出力画像信号を得ることにより、例えば出力画像信号をデジタルの状態でフラットパネルディスプレイに供給する際に、重畳前のＤ／Ａ変換および重畳後のＡ／Ｄ変換を不要とし、画像品質の劣化を防止し、画質の向上を図ることができる。
【００２５】
また、第２の画像信号の画素が上記第１の画像信号の画素に対応するように補間処理をして出力画素データを得るため、第２の画像信号による画像を表示する際の伸び縮みを防止することが可能となる。
【００２６】
この発明に係る画像信号処理方法は、第１のドットクロックに同期した第１の画像信号を取得する第１のステップと、第１のドットクロックと異なる周波数の第２のドットクロックに同期した第２の画像信号を取得する第２のステップと、この第２のステップで取得された第２の画像信号を第２のドットクロックに同期した状態から第１のドットクロックに同期した状態に変換する第３のステップと第１のステップで取得された第１の画像信号に、第３のステップで変換されて得られた第２の画像信号を重畳して出力画像信号を得る第４のステップとを備えるものである。
【００２７】
例えば、第３のステップでは、第２の画像信号の画素が第１の画像信号の画素に対応するように補間処理をして出力画素データを得るようになされる。
【００２８】
この発明に係る画像信号処理方法においては、第１のドットクロックに同期した第１の画像信号に、上記第１のドットクロックと異なる周波数の第２のドットクロックに同期した第２の画像信号を重畳する際に、第２の画像信号を第２のドットクロックに同期した状態から第１のドットクロックに同期した状態に変換した後、第１の画像信号に重畳することにより、第１の画像信号における重畳前のＤ／Ａ変換および重畳後のＡ／Ｄ変換などの信号処理を行うことなく、重畳することができるため、画像劣化を防ぐことが可能となる。
【００２９】
また、この発明に係る画像信号処理装置は、第１のドットクロックに同期した第１の画像信号に、第１のドットクロックと異なる周波数の第２のドットクロックに同期した第２の画像信号を重畳するために、該第２の画像信号を第２のドットクロックに同期した状態から第１のドットクロックに同期した状態に変換する画像信号処理装置であって、第２の画像信号を一時的に記憶する記憶手段と、第２の画像信号を、第２のドットクロックに同期して記憶手段に書き込む書き込み制御手段と、記憶手段に書き込まれた第２の画像信号を、第１のドットクロックに同期して読み出す読み出し制御手段と、読み出し制御手段により記憶手段から読み出された第２の画像信号の画素データに基づいて、該第２の画像信号の画素が第１の画像信号の画素に対応するように補間処理をして出力画素データを得る補間処理手段とを備えるものである。
【００３０】
また、この発明に係る画像信号処理装置は、第１のドットクロックに同期した第１の画像信号に、第１のドットクロックと異なる周波数の第２のドットクロックに同期した第２の画像信号を重畳するために、該第２の画像信号を第２のドットクロックに同期した状態から第１のドットクロックに同期した状態に変換する画像信号処理装置であって、第２の画像信号を一時的に記憶する記憶手段と、第２の画像信号を、第２のドットクロックに同期して記憶手段に書き込む書き込み制御手段と、記憶手段に書き込まれた第２の画像信号を、第１のドットクロックに同期して読み出す読み出し制御手段と、第２の画像信号を記憶手段に書き込む時の書き込みの開始位置および終了位置を設定するための信号が入力される第１の設定信号入力手段と、記憶手段に書き込まれた第２の画像信号を読み出す時の読出しの開始位置および終了位置を設定するための信号が入力される第２の設定信号入力手段とを備えるものである。
【００３１】
この発明に係る画像信号処理装置においては、第２の画像信号を、第２のドットクロックに同期して記憶手段に書き込み、そして書き込まれた第２の画像信号を第１のドットクロックに同期して読み出した後、第２の画像信号の画素データに基づいて、該第２の画像信号の画素が第１の画像信号の画素に対応するように補間処理をして出力画素データを得ることにより、画像信号のクロック乗り換え処理が容易にでき、また画像信号による画像を表示する際の伸び縮みを防止することが可能となる。
【００３２】
また、所定の入力信号により第２の画像信号を記憶手段に書き込む時の書き込みの開始位置および終了位置と、記憶手段に書き込まれた第２の画像信号を読み出す時の読出しの開始位置および終了位置とを設定することが可能となる。
【００３３】
【発明の実施の形態】
以下、図面を参照しながら、この発明の実施の形態について説明する。図１は、実施の形態としての画像表示装置１００の構成を示している。
この画像表示装置１００は、ビデオデコード部１と、Ａ／Ｄ変換回路２と、フォーマット変換部３と、Ｙ色差処理部５と、ＯＳＤ（Ｏｎ　Ｓｃｒｅｅｎ　Ｄｉｓｐｌａｙ）発生器６と、クロック乗り換え手段としてのＯＳＤインタフェース処理部２０と、信号重畳手段としてのＯＳＤ重畳回路８と、ＲＧＢ処理部９と、パネルドライバー１１と、ＦＰＤ（Ｆｌａｔ　Ｐａｎｅｌ　Ｄｉｓｐｌａｙ）１２とから構成されている。
【００３４】
ビデオデコード部１は、コンポジットビデオ（ＣＶＢＳ）信号Ｓ１に対して、同期分離、Ｙ／Ｃ分離、色復調など処理を行う回路である。同期分離処理では、コンポジットビデオ信号から同期信号を分離する。またＹＣ分離処理では、コンポジットビデオ信号から、輝度信号Ｙと色信号Ｃを分離する。また色復調処理では、例えば同期検波方式と呼ばれる復調方法が用いられ、色信号Ｃを復調して、ＰＢ，ＰＲ信号を得る。ビデオデコード部１から出力される画像信号（Ｙ／ＰＢ／ＰＲ）Ｓ２はＡ／Ｄ変換回路２に供給される。
【００３５】
Ａ／Ｄ変換回路２は、デコード処理されたアナログ画像信号Ｓ２をデジタル信号に変換する回路である。Ａ／Ｄ変換回路２から出力される画像信号（Ｙ／ＣＢ／ＣＲ）Ｓ３は、例えば４８０Ｉの画像フォーマットを有している。この画像信号Ｓ３はフォーマット変換部３に入力される。
【００３６】
フォーマット変換部３は、ＦＰＤ１２の表示画面の解像度に合わせてＡ／Ｄ変換回路２から出力される画像信号Ｓ３のフォーマット変換を行うものである。例えばＦＰＤ１２の表示画面の解像度が１３６６ドット×７６８ラインである場合、フォーマット変換部３では、フォーマットが４８０Ｉであるデジタル画像信号を１３６６×７６８のＷｉｄｅＸＧＡフォーマットに変換して出力する。フォーマット変換部３から出力される画像信号Ｓ４はＹ色差処理部５へ入力される。
【００３７】
Ｙ色差処理部５は、フォーマット変換部３でフォーマット変換された画像信号Ｓ４に対してシャープネス（Ｓｈａｒｐｎｅｓｓ）調整、カラー調整などのＹ色差処理を行う回路である。またＹ色差処理部５で輝度信号と色差信号を三原色信号に変換するマトリクス処理も行う。Ｙ色差処理部５から出力される画像信号（ＤＲ／ＤＧ／ＤＢ）Ｓ５は第１の画像信号としてＯＳＤ重畳回路８に供給される。
【００３８】
ＯＳＤ発生器６は、第２の画像信号としてのＯＳＤ画像信号、及びＯＳＤ制御信号を発生するものであり、例えばＯＳＤ機能内蔵のＴＶ用システムマイコン内に含まれる。このＯＳＤ発生器６は、動作周波数が２４．７５ＭＨｚである。従って、ＯＳＤ発生器６は第１の画像信号（Ｓ５）のフォーマットに合わせてＯＳＤ画像信号を発生できないものである。ＯＳＤ発生器６からＯＳＤ画像信号（ＤＲ／ＤＧ／ＤＢ）Ｓ６とＯＳＤ制御信号（ＹＳ／ＹＭ）Ｓ７が出力され、そしてＯＳＤインタフェース処理部２０へ入力される。
【００３９】
図２は主信号としての画像信号Ｓ５とＯＳＤ画像信号Ｓ８の関係を示す図である。図２に示すように、画像信号Ｓ５の有効画素が７４．２５ＭＨｚクロックで１３６６画素の正方画素であるのに対して、ＯＳＤ画像信号Ｓ８は２４．７５ＭＨｚクロックで約４５０画素の横長画素になる。
【００４０】
ＯＳＤインタフェース処理部２０は、ＯＳＤ画像信号のドットクロックの変換、およびクロック変換された信号に対して補間処理を行う回路である。図３は、ＯＳＤインタフェース処理部２０の構成を示す図である。
【００４１】
図３に示すように、ＯＳＤインタフェース処理部２０は、記憶手段としてのメモリ２０ａと、補間処理手段としての補間処理部２０ｂと、書き込み制御手段としての書き込み制御部２０ｃと、読み出し制御手段としての読み出し制御部２０ｄとから構成されている。
【００４２】
メモリ２０ａは、書き込み処理と読み出し処理とが別々のクロックで動作するデュアルポート・ラインメモリである。入力されるＲ，Ｇ，Ｂ信号Ｓ６およびＹＭ、ＹＳ信号Ｓ７をＯＳＤ発生器６の動作周波数（即ち、ＯＳＤ画像信号Ｓ６のドットクロック）に同期して書き込み、この書き込んだＲ，Ｇ，Ｂ信号Ｓ６およびＹＭ、ＹＳ信号Ｓ７をＹ色差処理部５より出力される画像信号Ｓ５のドットクロックに同期して読み出すようになされる。
【００４３】
書き込み制御部２０ｃは、入力されたＯＳＤ画像信号Ｓ６の取り込み位置ＷＰ、取り込みサイズＷＳに合わせてライトイネーブル及びアドレス信号Ｗを発生し、ＯＳＤ画像信号Ｓ６の書き込みを制御する。例えば、図４に示すように、ＯＳＤ発生器６から供給される水平同期信号ＯＳＤ　Ｈｓｙｎｃを基準にＯＳＤクロック（書き込みクロック）単位で、ＷＰクロック目の画素からＷＰ＋ＷＳクロック目の画素までをメモリ２０ａに取り込むように、書き込む時の書き込みの開始位置および終了位置を設定することでＯＳＤ画像信号Ｓ６の書き込み区間を設定する。なお、ＯＳＤ制御信号ＹＭ、ＹＳに関してはＯＳＤ画像信号Ｓ６と同様のやりかたで、処理を行う。
【００４４】
読み出し制御部２０ｄは、入力されたＯＳＤ画像信号の表示位置ＲＰ、表示サイズＲＳに合わせてリードイネーブル及びアドレス信号Ｒを発生し、ＯＳＤ画像信号の読み出しを制御する。例えば、図５に示すように、Ｙ色差処理部５から供給される水平同期信号ＶＩＤＥＯ　Ｈｓｙｎｃを基準にＶＩＤＥＯクロック（画像信号Ｓ５のドットクロック）単位で、ＲＰクロック目の位置からＲＰ＋ＲＳクロック目の位置までに表示するように、読み出す時の読出しの開始位置および終了位置を設定するでＯＳＤ画像信号Ｓ８の表示区間を設定する。なお、読み出し制御部２０ｄから出力される信号ｄｙは補間位相である。
【００４５】
なお、ＯＳＤ画像信号の取り込み位置ＷＰ、取り込みサイズＷＳ、ＯＳＤ画像信号の表示位置ＲＰ、表示サイズＲＳはシステム制御マイコンの制御部（図示せず）で設定される。
【００４６】
ＯＳＤ画像信号のクロック変換をする際に、書き込み制御部２０ｃが出力するライトイネーブル及びアドレス信号Ｗに従ってＯＳＤ画像信号Ｓ６の書き込みを行い、この場合、例えばＯＳＤ画像信号Ｓ６をそのＯＳＤ画像信号Ｓ６のドットクロック（２４．７５ＭＨｚ）でそのままメモリ２０ａに書き込む。従って書き込み区間内の画素がそのままメモリ２０ａに書き込まれる。また、読み出し制御部２０ｄが出力するリードイネーブル及びアドレス信号Ｒに従ってＯＳＤ画像信号の読み出し処理を行う。この場合、例えば書き込まれたＯＳＤ画像信号Ｓ６を画像信号Ｓ５のドットクロック（７４．２５ＭＨｚ）で読み出す。なお、ＯＳＤ制御信号ＹＭ、ＹＳに関してはＯＳＤ画像信号Ｓ６と同様のやりかたで、処理を行う。
【００４７】
補間処理部２０ｂは、積和演算器で構成される。補間処理部２０ｂでは、メモリ２０ａから読み出されたＯＳＤ画像信号およびＯＳＤ制御信号に対して、後述の線形補間法、Ｃｕｂｉｃ補間法または最近傍補間法を用いて補間処理を行う。即ち、補間処理部２０ｂでは、ＯＳＤ画像信号およびＯＳＤ制御信号の画素が主信号（画像信号Ｓ５）の画素に対応するように所定の演算式で演算して補間する。ここで、線形補間法、Ｃｕｂｉｃ補間法及び最近傍補間法について説明する。本実施の形態では線形補間法が用いられる。
【００４８】
線形補間法は、図６に示すように２点間に補間を行い、図中Ａ、Ｂは２点のＯＳＤ画像信号の画素であり、Ｙは線形補間法により補間処理して得られた画素である。線形補間法により、
Ｙ＝（１−ｄｙ）×Ａ＋ｄｙ×Ｂ
となる。ｄｙは補間位相である。
【００４９】
この線形補間法を用いて、例えば、図７に示すようにドットクロックが２４．７５ＭＨｚのＯＳＤ画像信号に対して補間処理を行い、ドットクロックが７４．２５ＭＨｚの画像信号の画素に対応する画素を持つＯＳＤ画像信号が得られる。この場合、まず、メモリ２０ａの読み出し開始位置はメモリ２０ａの読み書きのアドレスの競合が発生しない程度に書き込み開始位置からずらすことが必要である。その条件のもとで補間処理に応じた画素をメモリ２０ａから読み出すのであるが、読み出しのアドレス制御は画素数変換比率に応じて行われる。この例では、４５６画素から補間処理により１３６６画素を生成し、約３倍の拡大処理になるので、読み出しは７４．２５ＭＨｚのクロックで約３クロックにつき１回ずつアドレスをインクリメントすればよい。こうして得られる近傍２画素から補間位置との距離に応じた加重平均で補間画素の画素データが得られる。なお、ＯＳＤ制御信号ＹＭ、ＹＳに関してはＯＳＤ画像信号と同様のやりかたで、補間処理を行う。
【００５０】
また、Ｃｕｂｉｃ補間法は、図８に示すように４点のもとのＯＳＤ画像信号の画素を用いて補間を行う。図中Ａ、Ｂ、Ｃ、Ｄは４点のもとのＯＳＤ画像信号の画素であり、ＹはＣｕｂｉｃ補間法により補間処理して得られた画素である。Ｃｕｂｉｃ補間法により、
Ｙ＝ｈ（ｄｙ）×Ａ＋ｈ（１−ｄｙ）×Ｂ＋ｈ（１＋ｄｙ）×Ｃ＋ｈ（２−ｄｙ）×Ｄ
となる。
【００５１】
ただし、
ｈ（ｔ）＝｜ｔ｜３−２｜ｔ｜２＋１　　・・・（０≦｜ｔ｜＜１）
ｈ（ｔ）＝−｜ｔ｜３＋５｜ｔ｜２−８｜ｔ｜＋４　・・・（１≦｜ｔ｜＜２）
ｈ（ｔ）＝０　　・・・（２≦｜ｔ｜）
である。なお、ＯＳＤ制御信号ＹＭ、ＹＳに関してはＯＳＤ画像信号Ｓ６と同様のやりかたで、補間処理を行う。
【００５２】
また、最近傍補間法は、上述した線形補間法において、ｄｙ（０≦ｄｙ＜１）の小数点以下を４捨５入して用いるものであり、
０≦ｄｙ＜０．５の場合、Ｙ＝Ａ
０．５≦ｄｙ＜１の場合、Ｙ＝Ｂ
となる。
【００５３】
ＯＳＤインタフェース処理部２０では、ＯＳＤ発生器６で発生したＯＳＤ画像信号Ｓ６およびＯＳＤ制御信号Ｓ７をＯＳＤ画像信号Ｓ６のドットクロックでメモリ２０ａに書き込む。この書き込み動作は、書き込み制御部２０ｃにより制御される。また、メモリ２０ａに書き込まれたＯＳＤ画像信号Ｓ６及びＯＳＤ制御信号Ｓ７を画像信号Ｓ５のドットクロックで読み出す。この読み出し動作は、読み出し制御部２０ｄにより制御される。メモリ２０ａから読み出されたＯＳＤ画像信号Ｓ６およびＯＳＤ制御信号Ｓ７は補間処理部２０ｂで補間処理を行ったあと、ＯＳＤ重畳回路８へ出力される。
【００５４】
ＯＳＤ重畳回路８は、Ｙ色差処理部５で処理された画像信号Ｓ５にＯＳＤインタフェース処理部２０から供給されたＯＳＤ画像信号Ｓ８を重畳する回路である。図９はＯＳＤ重畳回路８の構成例を示している。
【００５５】
図９に示すように、ＯＳＤ重畳回路８は、アッテネータ８ａと、ＹＭセレクタ８ｂと、ＹＳセレクタ８ｃとから構成される。アッテネータ８ａは、入力した画像信号Ｓ５を所定レベルに減衰させる回路である。ＹＭセレクタ８ｂは、もとの画像信号Ｓ５と減衰された画像信号Ｓ２１を切り換える回路である。このＹＭセレクタ８ｂの切り換え動作はＯＳＤインタフェース処理部２０からのＯＳＤ制御信号ＹＭ（Ｓ９）により制御される。ＹＳセレクタ８ｃは、ＹＭセレクタ８ｂの出力信号Ｓ２２とＯＳＤ画像信号Ｓ８を切り換える回路である。このＹＳセレクタ８ｃの切り換え動作はＯＳＤインタフェース処理部２０からのＯＳＤ制御信号ＹＳ（Ｓ９）により制御される。
【００５６】
ＯＳＤ重畳を行う際に、ＯＳＤ制御信号ＹＭ信号によりＹＭセレクタ８ｂの入力はもとの画像信号Ｓ５からアッテネータ８ａで減衰された画像信号、例えば−６ｄＢに下げられた画像信号Ｓ２１に切り換え、ＯＳＤ表示部分のウインドウ（ハーフトーン表示）を形成する。画像信号Ｓ２１はハーフトーン表示するための信号、メニューの文字、図形の背景などで使用する。また、ＯＳＤ制御信号ＹＳによりＹＳセレクタ８ｃの入力はＹＭセレクタ８ｂの出力信号Ｓ２２からＯＳＤ画像信号Ｓ８に切り換え、ＯＳＤ画像信号Ｓ８を画像信号Ｓ１０として出力し、画面上でＯＳＤ画像を表示するようになされる。
【００５７】
表１は、画像信号Ｓ５による画像とＯＳＤ画像信号Ｓ８による画像との表示状態を示している。
【００５８】
【表１】
2004101924.tif 000003
【００５９】
表１に示すように、ＯＳＤ画像信号ＹＭ、ＹＳが０の場合、画像信号Ｓ５による画像のみとなりＯＳＤ画像信号Ｓ８による画像は全く表示されない。また、ＹＭ信号が１で、ＹＳ信号が０である場合、レベルが−６ｄＢに下げられた画像信号Ｓ２１による画像を表示するようになる。また、ＹＳ信号が１の場合、ＯＳＤ画像信号Ｓ８による画像のみを表示する。
【００６０】
なお、ＯＳＤ重畳回路８として、図１０に示すＯＳＤ重畳回路８Ａを用いてもよい。この場合、ＯＳＤ制御信号ＹＭ、ＹＳの代わりに、混合比を示すＯＳＤ制御信号α（０≦α≦１）を用いてＯＳＤ重畳処理を行う。
【００６１】
図１０に示すように、ＯＳＤ重畳回路８Ａは、減算器８ｄと、積算器８ｅ、８ｆと、加算器８ｇとから構成されている。ＯＳＤ重畳を行う際に、積算器８ｅは画像信号と減算器８ｄから供給されるレジスタ値（１−α）を掛け合わせ、加算器８ｇに出力する。また積算器８ｆはＯＳＤ画像信号Ｓ８とＯＳＤインタフェース処理部２０から供給されるＯＳＤ制御信号αを掛け合わせ、加算器８ｇに出力する。そして加算器８ｇは積算器８ｅ及び積算器８ｆからの出力を加算することにより画像信号Ｓ５とＯＳＤ画像信号Ｓ８を合成し、表示画像信号Ｓ１０として出力する。
【００６２】
図中ＯＳＤ制御信号α（Ｓ９）は、上述したＯＳＤ制御信号ＹＭ、ＹＳと同じようにＯＳＤ発生器６より供給され、ＯＳＤ画像信号Ｓ６と同様にＯＳＤインタフェース処理部２０でクロック変換、補間処理を行った後に、ＯＳＤ重畳回路８Ａに供給される。
【００６３】
なお、α値は変更することが可能であり、このα値を０〜１．０の範囲に調整することにより画像信号Ｓ５とＯＳＤ画像信号Ｓ８との混合比を制御することができる。α値の調整は画像表示装置１００の制御部（図示せず）により制御される。表２は、画像信号Ｓ５とＯＳＤ画像信号Ｓ８との混合比を示している。
【００６４】
【表２】
2004101924.tif 000004
【００６５】
表２に示すように、α値が０の場合、主信号としての画像信号Ｓ５とＯＳＤ画像信号Ｓ８の混合比率は１００：０となり、画面表示は画像信号Ｓ５による画像のみとなり、ＯＳＤ画像信号Ｓ８による画像は全く表示されない。また、α値が０．５の場合、画像信号Ｓ５とＯＳＤ画像信号Ｓ８の混合比率は５０：５０となり、画面表示は画像信号Ｓ５とＯＳＤ画像信号Ｓ８とが同レベルで混合されたものになる。また、α値が１．０の場合、画像信号Ｓ５とＯＳＤ画像信号Ｓ８の混合比率は０：１００となり、画面表示はＯＳＤ画像信号Ｓ８による画像のみとなる。
【００６６】
ＲＧＢ処理部９は、ＯＳＤ重畳回路８から供給される画像信号Ｓ１０に対してピクチャー調整（ＲＧＢのゲイン調整）、およびブライト調整（ＤＣレベル調整）などを行う回路である。画像信号Ｓ１０はＲＧＢ処理部９でピクチャー調整およびブライト調整が行われた後、画像信号（ＤＲ／ＤＧ／ＤＢ）Ｓ１１としてパネルドライバー１１へ出力される。
【００６７】
パネルドライバー１１は、表示パネルとしてのＦＰＤ１２を駆動する回路である。またＦＰＤ１２は、例えばＬＣＤ表示パネルであり、このＬＣＤ表示パネルの解像度は例えば１３６６×７６８のＷｉｄｅＸＧＡである。パネルドライバー１１は、ＲＧＢ処理部９から供給された画像信号Ｓ１１に基づいてＬＣＤ表示パネル上にＯＳＤ画像信号を重畳した画像を表示するようになされる。
【００６８】
続いて、図１に示す画像表示装置１００のＯＳＤ表示動作を説明する。
入力されたコンポジットビデオ（ＣＶＢＳ）信号Ｓ１に対して、まず、ビデオデコード部１で同期分離、Ｙ／Ｃ分離、色復調などのビデオデコード処理を施した後、Ａ／Ｄ変換を行い、そしてフォーマット変換部３でフォーマットが４８０Ｉであるデジタル画像信号Ｓ３を１３６６×７６８のＷｉｄｅＸＧＡの画像信号Ｓ４に変換する。そして、画像信号Ｓ４はＹ色差処理部５で輝度信号と色差信号を三原色信号に変換するマトリクス処理、シャープネス調整、カラー調整などの処理を行った後、画像信号Ｓ５としてＯＳＤ重畳回路８に供給される。
【００６９】
一方、ＯＳＤ発生器６ではＯＳＤ画像信号Ｓ６及びＯＳＤ制御信号Ｓ７を発生し、ＯＳＤインタフェース処理部２０（図３参照）のメモリ２０ａへ出力し、同時に、書き込み制御部２０ｄからのライト・イネーブル及びアドレス信号Ｗをメモリ２０ａへ出力する。このライトイネーブル及びアドレス信号Ｗに従って、ＯＳＤ画像信号Ｓ６及びＯＳＤ制御信号Ｓ７がＯＳＤの動作周波数（２４．７５ＭＨｚ）のままでメモリ２０ａに書き込まれる。
【００７０】
次に、読み出し制御部２０ｄからのリードイネーブル及びアドレス信号Ｒに従って、メモリ２０ａに書き込まれたＯＳＤ画像信号Ｓ６及びＯＳＤ制御信号Ｓ７を画像信号Ｓ５のドットクロック周波数（７４．２５ＭＨｚ）で読み出す。読み出されたＯＳＤ画像信号Ｓ６及びＯＳＤ制御信号Ｓ７は、補間処理部２０ｂで画像信号Ｓ５の画素に対応するように補間される（図７参照）。補間処理されたＯＳＤ画像信号Ｓ８及びＯＳＤ制御信号Ｓ９はＯＳＤ重畳回路８に供給される。
【００７１】
そして、ＯＳＤ重畳回路８で、Ｙ色差処理部５から供給される画像信号Ｓ５と、ＯＳＤインタフェース処理部２０から供給されるＯＳＤ画像信号Ｓ８とを重畳する。重畳後の合成画像信号Ｓ１０は、ＲＧＢ処理部９でピクチャー調整、ブライト調整が行われた後、パネルドライバー１１に入力される。これにより、ＦＰＤ１２の表示画面上に、この画像信号Ｓ１０による画像が表示される。
【００７２】
このように本実施の形態においては、ＯＳＤ画像信号Ｓ６のドットクロックを、元のドットクロック周波数２４．７５ＭＨｚから画像信号Ｓ５のドットクロック周波数７４．２５ＭＨｚに変換し、さらに画像信号Ｓ５の画素に対応するように補間処理をした後、画像信号Ｓ５に重畳するものであり、重畳前のＤ／Ａ変換および重畳後のＡ／Ｄ変換などの信号処理を行うことなく、ＯＳＤ重畳することができるため、主信号の品質劣化を防ぐことができる。また、ＯＳＤ画像信号がＤ／Ａ変換処理不要のため、ＯＳＤ画像信号の品質劣化を防ぐことができる。
【００７３】
また、ＯＳＤ画像信号の画素が主信号（画像信号Ｓ５）の画素に対応するように補間処理を行うため、ＯＳＤ画像信号を表示する際の縮みを防止することが可能となる。
【００７４】
また、入力されたＯＳＤ取込位置設定およびＯＳＤ取込サイズ設定用信号によりＯＳＤ画像信号を記憶手段に書き込む時の書き込みの開始位置および終了位置を設定することができ、また、入力されたＯＳＤ表示位置およびＯＳＤ表サイズ設定用信号により記憶手段に書き込まれたＯＳＤ画像信号を読み出す時の読出しの開始位置および終了位置とを設定することができる。
【００７５】
また、ＯＳＤ発生器６として、高速のものを必要とせず、動作周波数が低いものでも使用することが可能になるので、安価にシステムが構築できる。
【００７６】
なお、上述実施の形態においては、ＯＳＤ画像信号Ｓ６のドットクロック周波数が主信号としての画像信号Ｓ５のドットクロック周波数より低いものについて説明したが、これに限定されるものではない。ＯＳＤ画像信号のドットクロック周波数が主信号のドットクロック周波数より高いものにもこの発明を適用できる。
【００７７】
また、上述実施の形態においては、ＯＳＤ画像信号Ｓ６と主信号としてのテレビジョン信号との重畳の場合について説明したが、これに限定されるものではない。他のドットクロックが異なる二つの画像信号を重畳する場合にもこの発明を適用できる。
【００７８】
また、上述実施の形態においては、ディスプレイとしてＦＰＤ（Ｆｌａｔ　Ｐａｎｅｌ　Ｄｉｓｐｌａｙ）１２を用いたものであるが、これに限定されるものではない。プラズマディスプレイなどの他の固定画素表示デバイスを用いるものにもこの発明を適用できる。
【００７９】
また、上述実施の形態においては、ＯＳＤ画像信号をクロック乗り換え処理した後、補間処理を行う場合について説明したが、これに限定されるものではない。ＯＳＤ画像信号のクロック乗り換え処理後、補間処理を行わなくてもよい。ただし、この場合、ＯＳＤ画像信号による画像の伸びまたは縮みが発生する。
【００８０】
また、Ａ／Ｄ変換回路２から出力される画像信号（Ｙ／ＣＢ／ＣＲ）Ｓ３は、４８０Ｉ以外の画像フォーマット、例えば７２０Ｐ、１４４０Ｉ、１０８０Ｐ及び１０８０Ｉの画像フォーマットの場合にも、この発明を適用できる。
【００８１】
【発明の効果】
この発明によれば、第１のドットクロックに同期した第１の画像信号に、該第１のドットクロックと異なる周波数の第２のドットクロックに同期した第２の画像信号を第２のドットクロックに同期した状態から第１のドットクロックに同期した状態に変換した上で重畳して出力画像信号を得るものであり、例えば出力画像信号をデジタルの状態でフラットパネルディスプレイに供給する際に、重畳前のＤ／Ａ変換および重畳後のＡ／Ｄ変換を不要とし、画像品質の劣化を防止し、画質の向上を図ることができる。
【００８２】
また、第２の画像信号の画素が第１の画像信号の画素に対応するように補間処理を行うため、第２の画像信号を表示する際の伸び縮みを防止することができる。
【００８３】
また、第２の画像信号を発生する手段、例えばＯＳＤ発生器に関して、動作周波数が低いものでも使用することが可能になるので、安価にシステムが構築できる。
【図面の簡単な説明】
【図１】実施の形態としての画像表示装置の構成例を示す図である。
【図２】主信号とＯＳＤ画像信号の関係を示す図である。
【図３】ＯＳＤインタフェース処理部の構成例を示す図である。
【図４】書き込み区間設定の仕組を示す図である。
【図５】表示区間設定の仕組を示す図である。
【図６】線性補間法の説明図である。
【図７】ＯＳＤ画像信号と補間信号の関係を示す図である。
【図８】Ｃｕｂｉｃ補間法の説明図である。
【図９】ＹＳ、ＹＭを用いたＯＳＤ重畳回路の構成を示す図である。
【図１０】α値を用いたＯＳＤ重畳回路の構成を示す図である。
【図１１】従来の画像表示装置の構成例を示す図である。
【符号の説明】
１・・・ビデオデコード部、２，１０・・・Ａ／Ｄ変換回路、３・・・フォーマット変換部、４，７・・・Ｄ／Ａ変換回路、５，５’・・・Ｙ色差処理部、６・・・ＯＳＤ発生器、８，８’・・・ＯＳＤ重畳回路、９，９’・・・ＲＧＢ処理回路、１１・・・パネルドライバ、１２・・・ＦＰＤ、１５，１００・・・画像表示装置、２０・・・ＯＳＤインタフェース処理部、２０ａ・・・メモリ、２０ｂ・・・補間処理部、２０ｃ・・・書き込み制御部、２０ｄ・・・読み出し制御部
【図１】
2004101924.tif 000005
【図２】
2004101924.tif 000006
【図３】
2004101924.tif 000007
【図４】
2004101924.tif 000008
【図５】
2004101924.tif 000009
【図６】
2004101924.tif 000010
【図７】
2004101924.tif 000011
【図８】
2004101924.tif 000012
【図９】
2004101924.tif 000013
【図１０】
2004101924.tif 000014
【図１１】
2004101924.tif 000015